(57)【要約】【課題】機器が起動できない場合、起動操作前に何が原因で起動できないかを容易に把握することができる監視制御システムを提供する。【解決手段】運転対象の機器３を表す機器表示部５、この機器の運転モード、故障有無、運転／停止状態を含む複数の運転情報を個別に表示する運転情報表示部８，９，１０、機器３の起動操作部、及び機器３の起動が可能かを確認する起動確認操作部を監視画面４に設け、起動確認操作部１２が操作されると起動確認判定部１３が動作し、機器３の起動を不可とする運転情報がある場合は、対応する運転情報表示部８，９，１０を、通常の表示形態とは異なる起動不可表示形態で表示させる。【選択図】図２
2015138371.tif 000002
【特許請求の範囲】
【請求項１】
運転対象の機器を表す機器表示部と、
この機器の運転モード、故障有無、運転／停止状態を含む複数の運転情報を個別に表示する運転情報表示部と、
前記機器に起動指令を与える起動操作部と、
前記機器の起動が可能かを確認するための起動確認操作部と、
この起動確認操作部が操作されると前記複数の運転情報がそれぞれ前記機器の起動を可能とする状態となっているかを確認し、前記機器の起動を不可とする運転情報がある場合は、この起動を不可とする運転情報に対応する前記運転情報表示部を、通常の表示形態とは異なる起動不可表示形態で表示させる起動確認判定部と、
を備えたことを特徴とする監視制御システム。
【請求項２】
運転対象の機器を表す機器表示部及び前記機器と連動運転される連動機器を表す連動機器表示部と、
前記機器及び連動機器について、それぞれ運転モード、故障有無、運転／停止状態を含む複数の運転情報を個別に表示する運転情報表示部と、
前記機器に起動指令を与える起動操作部と、
前記機器の起動が可能かを確認するための起動確認操作部と、
この起動確認操作部が操作されると前記機器及び連動機器に対する前記複数の運転情報がそれぞれ前記機器の起動を可能とする状態となっているかを確認し、前記機器の起動を不可とする運転情報がある場合は、この起動を不可とする運転情報に対応する前記運転情報表示部を、通常の表示形態とは異なる起動不可表示形態で表示させる起動確認判定部と、
を備えたことを特徴とする監視制御システム。  
【請求項３】
前記運転情報表示部は、前記機器の補機の状況を前記運転情報のひとつとして表示可能で、前記起動確認判定部は、前記補機の状況を前記運転情報の一つとして判断することを特徴とする請求項１又は請求項２に記載の監視制御システム。
【発明の詳細な説明】
【技術分野】
【０００１】
本発明の実施形態は、機器の起動制御を監視する監視制御システムに関する。
【背景技術】
【０００２】
各種プラント、例えば、水処理プラントなどでは、各種の機器が設置され、それらは互いに関連して運転制御されている。このようなプラントでは、各種機器の運転状態を監視制御するため監視制御装置が設けられている。この監視制御装置は監視画面を有し、この監視画面にはポンプ、吐出弁、ポンプ補機など、互いに関係する機器が表示され、それらの情報が表示されている。
【０００３】
このような監視画面により、機器の一つであるポンプの起動操作を行う場合、監視画面上の、起動操作対象となる機器表示部の近くに、その機器の運転モード、故障有無、運転／停止状態を含む複数の運転情報を個別に表示する運転情報表示部が設けられているので、操作員はそれらの表示内容を目視して、対象機器が起動可能な状態であることを確認する。そして、そのうえで、同じく監視画面上に設けられた起動操作部を操作して起動指令を与える。
【０００４】
このように、操作員は操作対象機器の運転情報表示部の表示内容から、対象機器が起動可能な状態であることを確認したうえで起動指令を与える。しかし、そのためには、どの運転情報表示部がどのような表示状態であれ対象機器が起動可能かを予め把握しておかなければならない。熟練した操作員であれば、各機器状態表示器の表示状態から一目して対象機器が起動可能かを判断できる。しかし、熟練度の低い新人操作員などでは、複数の運転情報表示部の表示状態から対象機器が起動可能かを予め把握しておくことが困難であった。
【０００５】
仮に、何らかの要因により機器が起動可能でないにもかかわらず、操作員が起動操作を行うと、当然機器は起動されないので、操作員は何が原因で起動しないかを、複数の運転情報表示部の表示状態と、マニュアル等とを突き合わせて追究することとなる。このため、機器起動不能時における原因追究作業に多くの手間を要し、操作員に大きな負担をかけることとなる。
【０００６】
また、プラント設備の場合、前述した水処理プラントを例にとると、操作対象機器がポンプの場合、吐出弁やポンプ補機等の他の機器が、互いに関係して運転され、これら他の機器の状態もポンプの起動条件の一つとなる。すなわち、上述した他の機器についての運転情報表示部の表示状態も含めて確認しなければならない。すなわち、監視画面からポンプの起動操作を行ったところポンプが起動しない場合、監視画面に表示される複数の運転情報表示部、すなわち、ポンプのモード表示、故障表示、状態表示と吐出弁のモード表示、故障表示、状態表示およびポンプ補機の状態表示のうち、どの表示がポンプの起動を阻害しているか一目では判断がつかない。このため、操作員に対する負担は、より一層増大する。
【０００７】
なお、プラント設備については、互いに関係するインタロックを表示して作動状態を確認することが提案されている（例えば、特許文献１参照）。
【０００８】
しかし、このためには事前にインタロック関係を表示するためのデータを作成しておかなければならず設備が複雑化して設備コストが増大する。また、インタロック関係のみを表示されても、それだけでは特に新人の操作員には、起動不能原因の追究が難しい面もあった。
【先行技術文献】
【特許文献】
【０００９】
【特許文献１】特開平８−７６３８１号公報
【発明の概要】
【発明が解決しようとする課題】
【００１０】
このように、従来技術の監視制御装置では監視画面から機器の起動操作を行おうとしたときに、その機器の起動操作にかかわるすべての運転情報表示（他の機器を含め）が把握出来ていなければ、機器が起動するかは判断することが出来ない。実際に機器の起動操作を行い、初めて機器が動作しないことに気が付くことになるというのが実情であった。
【００１１】
本発明が解決しようとする課題は、機器が起動できない場合、起動操作前に何が原因で起動できないかを容易に把握することができる監視制御システムを提供することにある。
【課題を解決するための手段】
【００１２】
本発明の実施の形態に係る監視制御システムは、運転対象の機器を表す機器表示部と、この機器の運転モード、故障有無、運転／停止状態を含む複数の運転情報を個別に表示する運転情報表示部と、前記機器に起動指令を与える起動操作部と、前記機器の起動が可能かを確認するための起動確認操作部と、この起動確認操作部が操作されると前記複数の運転情報がそれぞれ前記機器の起動を可能とする状態となっているかを確認し、前記機器の起動を不可とする運転情報がある場合は、この起動を不可とする運転情報に対応する前記運転情報表示部を、通常の表示形態とは異なる起動不可表示形態で表示させる起動確認判定部とを備えたことを特徴とする。
【図面の簡単な説明】
【００１３】
【図１】本発明の一実施形態に係るシステム構成図である。
【図２】本発明の一実施形態に係る監視制御装置を説明する機能ブロック図である。
【図３】本発明の一実施形態で用いる起動確認判断部の動作を説明するフローチャートである。
【発明を実施するための形態】
【００１４】
以下、本発明の実施の形態について、図面を参照して詳細に説明する。
【００１５】
図１は、運転対象となる機器３、この機器３を直接制御する機器制御装置２、及びこれらを監視制御する監視制御装置１からなる監視制御システムの相互関係を表すシステム構成図である。図１において、監視制御装置１で表示される機器３の情報は、機器３から機器制御装置２を経由して入力される。監視制御装置１で機器３の操作を行うと機器制御装置２で機器３が起動できるかの判断を行い、起動できると判断した場合は機器３に対して起動操作指令を出力する。
【００１６】
図２は、監視制御装置１の監視画面４の表示構成を示している。図２において、監視画面４上には、運転対象の機器（ここではポンプとする）を表す機器表示部５、及びこの機器と連動運転される連動機器（ここでは吐出弁とする）を表す連動機器表示部６が、関連する配水池の表示シンボルと共に表示されている。これら機器表示部５及び連動機器表示部６の近くには、これらに対応する機器及び連動機器について、それぞれ運転モード、故障有無、運転／停止状態を含む複数の運転情報を個別に表示する運転情報表示部８，９，１０が配置されている。
【００１７】
すなわち、機器（ポンプ）表示部５に対しては、その運転モードが「手動」であるかを表示する運転モード表示部８ａ、「故障」の有無を表示する故障表示部９ａ、現状が「停止」状態かを表示する状態表示部１０ａがそれぞれ配置されている。また、連動機器（吐出弁）表示部６に対しては、その運転モードが「連動」であるかを表示する運転モード表示部８ｂ、「故障」の有無を表示する故障表示部９ｂ、現状が「全閉」状態であることを表示する状態表示部１０ｂがそれぞれ配置されている。
【００１８】
また、機器（ポンプ）の補機の状況を運転情報のひとつとしている場合は、機器表示部としてポンプ補機表示部７を設けるとともに、その近くにはポンプの起動条件の一つである「圧力規定値以上」を表示する運転情報表示部１０ｃを配置する。
【００１９】
監視画面４には、さらに、機器（ポンプ）に起動指令を与える起動操作部１１、及び機器（ポンプ）の起動が可能かを事前に確認するための起動確認操作部１２がそれぞれ設けられている。
【００２０】
上述した起動確認操作部１２に対しては、起動確認判定部１３を設け、起動確認操作部１２が操作されると機器（ポンプ）及び連動機器（吐出弁やポンプ補機等）に対する複数の運転情報が、それぞれ機器（ポンプ）の起動を可能とする状態となっているかを確認する。その結果、機器（ポンプ）の起動を不可とする運転情報がある場合は、機器（ポンプ）の起動を不可とする運転情報に対応する運転情報表示部（８ａ〜１０ａ、８ｂ〜１０ｂ、１０ｃのいずれかまたは複数）を、通常の表示形態とは異なる起動不可表示形態（例えば、点滅表示）で表示させる。
【００２１】
上記構成において、図１で示した機器（以下ポンプとして説明する）３を、監視制御装置１の監視画面４上から起動操作する場合、監視画面４上のポンプ表示部５近くに配置した起動操作部１１をオン操作すると、機器制御装置２においてポンプ３のモード、故障、状態、吐出弁のモード、故障、状態、ポンプ補機の状態から、ポンプ３が起動可能と判断されたときにポンプ３へ起動操作指令が出力され、起動するようになっている。
【００２２】
監視画面４には、上述のように、ポンプ表示部５の近くに、そのモード表示部８ａ、故障表示部９ａ、状態表示部１０ａが配置され、吐出弁表示部６近くに、そのモード表示部８ｂ、故障表示部９ｂ、状態表示部１０ｂが配置され、さらに、ポンプ補機表示部７近くに、その状態表示１０ｃが配置されているので、それらの表示状態から、ポンプ３の起動  が可能かを判断できる。
【００２３】
すなわち、従来は、モード表示部８ａの点灯状態によりポンプが「手動」運転モードであることを確認し、故障表示部９ａの消灯によりポンプが「故障」でないことを確認し、状態表示部１０ａの点灯によりポンプが「停止」状態であることを確認する。また、モード表示部８ｂの点灯により吐出弁がポンプとの「連動」運転モードであることを確認し、故障表示部９ｂ消灯により吐出弁が「故障」でないことを確認し、状態表示部１０ｂの点灯により吐出弁が「全閉」状態であることを確認する。さらに、状態表示部１０ｃの点灯によりポンプ補機が「圧力規定値以上」であることを確認する。これらの確認がすべて行われたうえで起動操作部１１をオン操作すれば、図１で示したポンプ３に起動指令が出力される。
【００２４】
しかし、このように多数の運転情報表示部８ａ，・・・，１０ｃの点灯／消灯状態から、ポンプ３が起動可能かを一目で判断するためには、起動可能状態でのこれらの点灯／消灯状態をすべて記憶しておかなければならす、操作者に多くの負担を与える。
【００２５】
そこで、この実施の形態では、監視画面４内に起動確認操作部１２を設け、ポンプ３の起動操作を行う前にこの起動確認操作部１２をオン操作し、起動確認判定部１３を動作させる。このことにより、複数の運転情報表示部８ａ，・・・，１０ｃのうち、ポンプ３の起動を阻害している要因となる表示部を、通常の表示形態とは異なる起動不可表示形態（この実施形態では、点滅表示とする）で表示させる。すなわち、なにも起動阻害要因が無ければ、各運転情報表示部８ａ，・・・，１０ｃは通常の点灯／消灯状態であるのに対し、起動阻害要因がある場合は、その起動阻害要因に対応する運転情報表示部（８ａ，・・・，１０ｃのいずれか又は複数）が点滅するので、起動不能であることが直ちに判明するとともに、その点滅する運転情報表示部を確認することにより起動疎開要因も直ちに判明する。
【００２６】
図３は上述した起動確認判定部１３の処理フローチャートを示す。
【００２７】
ステップ０１：監視制御装置１の監視画面４で起動確認操作部１２がオン操作されたことを判断する。
【００２８】
ステップ０２：運転対象機器であるポンプのモードを判断して、手動でなければ監視画面４のポンプモード表示部８ａを点滅させる。
【００２９】
ステップ０３：ポンプの故障有無を判断して、故障であれば監視画面４のポンプ故障表示部９ａを点滅させる。
【００３０】
ステップ０４：ポンプの状態を判断して、停止でなければ監視画面４のポンプ状態表示部１０ａを点滅させる。
【００３１】
ステップ０５：吐出弁のモードを判断して、連動でなければ監視画面４の吐出弁モード表示部８ｂを点滅させる。
【００３２】
ステップ０６：吐出弁の故障有無を判断して、故障であれば監視画面４の吐出弁故障表示部９ｂを点滅させる。
【００３３】
ステップ０７：吐出弁の状態を判断して、全閉でなければ監視画面４の吐出弁状態表示部１０ｂを点滅させる。
【００３４】
ステップ０８：ポンプ補機の状態を判断して、圧力規定値以上でなければ監視画面４のポンプ補機状態表示部１０ｃを点滅させる。
【００３５】
本監視制御システムによれば、起動確認操作部１２を設けることにより、機器３の起動操作を行う前に機器が起動できるかを判断することができる安定性のある監視制御装置を構築することができるようになる。
【００３６】
本発明の実施形態を説明したが、この実施形態は例として提示したものであり、発明の範囲を限定することは意図していない。この新規な実施形態は、その他のさまざまな形態で実施されることが可能であり、発明の要旨を逸脱しない範囲で、種々の省略、置き換え、変更を行うことができる。この実施形態やその変形は、発明の範囲や要旨に含まれると共に、特許請求の範囲に記載された発明とその均等の範囲に含まれる。
【符号の説明】
【００３７】
１…監視制御装置
３…起動対象の機器
４…監視画面
５，７…機器表示部
６…連動機器制御部
８ａ，８ｂ，９ａ，９ｂ，１０ａ，１０ｂ，１０ｃ…運転情報表示部
１１…起動操作部
１２…起動確認操作部
１３…起動確認判定部
【図１】
2015138371.tif 000003
【図２】
2015138371.tif 000004
【図３】
2015138371.tif 000005